(57)【特許請求の範囲】
【請求項１】
第１の電気コネクタを備えた電子モジュールであって交換可能に構成された該電子モジュールを収容する筺体と、
前記筺体に形成され、前記電子モジュールを交換するための開口と、
前記筺体に着脱可能であり、前記開口を塞ぐカバーと、
前記筺体内に設けられ、前記第１の電気コネクタと嵌合する第２の電気コネクタと、
前記カバーに設けられ、前記電子モジュールが前記筺体に収容された状態のときに、前記第１の電気コネクタと前記第２の電気コネクタとが嵌合する方向に前記電子モジュールを押圧する押圧手段と、を有し、
前記押圧手段は、前記カバーの、前記筺体の内部に向けられる一面に取り付けられており、
前記開口を通して前記電子モジュールを挿入する挿入方向と、前記第１の電気コネクタが前記第２の電気コネクタに挿入される方向とが、実質的に同一であり、
前記カバーは、前記筺体に対してスライドして前記筺体に取り付けられるように構成されており、
前記電子モジュールの前記カバー側に向けられる一面には、前記筺体に前記カバーが取り付けられる際に、前記カバーのスライド方向の下流側から前記押圧手段に圧接する突出部が形成されており、
前記押圧手段は、前記筺体に前記カバーが取り付けられる際に前記カバーから前記押圧手段に作用する力と、前記突起部から前記押圧手段に作用する反力とにより、前記電子モジュールを挿入する前記挿入方向に変形して前記電子モジュールを該挿入方向に押しつける板バネからなる、電子機器。
【請求項２】
光を画像として投射する投射型表示装置であって、
第１の電気コネクタを備えた光源装置であって交換可能に構成された該光源装置を収容する筺体と、
前記筺体に形成され、前記光源装置を交換するための開口と、
前記筺体に着脱可能であり、前記開口を塞ぐカバーと、
前記筺体内に設けられ、前記第１の電気コネクタと嵌合する第２の電気コネクタと、
前記カバーに設けられ、前記光源装置が前記筺体に収容された状態のときに、前記第１の電気コネクタと前記第２の電気コネクタとが嵌合する方向に前記光源装置を押圧する押圧手段と、を有する投写型表示装置。
【発明の詳細な説明】
【技術分野】
【０００１】
本発明は、交換可能に構成された電子モジュールを収容する筺体を有する電子機器および投写型表示装置に関する。
【背景技術】
【０００２】
電子モジュールを収容する筺体を有する電子機器の一例として、電子モジュールとしての光源装置を備えた投射型表示装置がある。光源装置のような電子モジュールには寿命があるため、電子モジュールは交換可能に構成されることがある（特許文献１参照。）。【０００３】
特許文献１は、交換可能に構成された光源装置を有する投射型表示装置を開示している。投射型表示装置は外装ケースを有し、光源装置や電源ユニットが外装ケースに収容されている。筺体にはカバーが設けられている。カバーは筺体から取り外すことができ、カバーを取り外して出来た窓部分から光源装置を交換することができる。光源装置は、コネクタによって筺体内部の電源ユニットと電気的に接続される。【０００４】
光源装置のような電子モジュールやカバーは、電子モジュールのコネクタが外れないように、筺体にネジで固定されることが多い。
【先行技術文献】
【特許文献】
【０００５】
【特許文献１】特開２０００−２５８８４１号
【発明の概要】
【発明が解決しようとする課題】
【０００６】
電子モジュールの交換は、ユーザによって行われることがある。電子モジュールの交換に不慣れなユーザが、電子モジュールおよび／またはカバーを筺体に十分にネジ締めしないことがある。この場合、電子モジュール側の電気コネクタが、筺体側の電気コネクタと十分に接続されていない状態になることがあるという課題がある。【０００７】
また、ユーザが、電子モジュールをネジで固定し忘れたことに気づかず、電子機器を使用する可能性もある。この場合にも、電子モジュール側の電気コネクタが、筺体側の電気コネクタと十分に接続されていない状態になることがあるという課題がある。【０００８】
したがって、電気コネクタの接続不良を抑制することができる電子機器および投射型表示装置を提供することが望まれる。
【課題を解決するための手段】
【０００９】
本発明の目的は、上述した課題を解決する電子機器および投射型表示装置を提供することにある。【００１０】
本発明の一実施形態における電子機器は、第１の電気コネクタを備えた電子モジュールであって交換可能に構成された該電子モジュールを収容する筺体と、筺体に形成され、電子モジュールを交換するための開口と、筺体に着脱可能であり、開口を塞ぐカバーと、筺体内に設けられ、第１の電気コネクタと嵌合する第２の電気コネクタと、カバーに設けられ、電子モジュールが筺体に収容された状態のときに、第１の電気コネクタと第２の電気コネクタとが嵌合する方向に電子モジュールを押圧する押圧手段と、を有する。【００１１】
また、本発明の一実施形態における投射型表示装置は、光を画像として投射する装置である。投射型表示装置は、第１の電気コネクタを備えた光源装置であって交換可能に構成された該光源装置を収容する筺体と、筺体に形成され、光源装置を交換するための開口と、筺体に着脱可能であり、開口を塞ぐカバーと、筺体内に設けられ、第１の電気コネクタと嵌合する第２の電気コネクタと、カバーに設けられ、光源装置が筺体に収容された状態のときに、第１の電気コネクタと第２の電気コネクタとが嵌合する方向に光源装置を押圧する押圧手段と、を有する。【００１２】
上記構成の電子機器および投射型表示装置によれば、第１の電気コネクタと第２の電気コネクタとの間の接続不良を抑制することができる。【００１３】
本発明の上記及び他の目的、特徴、利点は、本発明を例示した添付の図面を参照する以下の説明から明らかとなろう。
【図面の簡単な説明】
【００１４】
【図１】本発明の一実施形態における電子機器の概略斜視図である。
【図２】カバーを外した状態の電子機器の概略斜視図である。
【図３】筺体内に挿入される電子モジュールの概略斜視図である。
【図４】筺体内に電子モジュールが挿入される際の、電子機器の概略断面図である。
【図５】筺体に形成された開口を塞ぐカバーの概略斜視図である。
【図６】筺体にカバーを取り付ける途中における、電子機器の概略断面図である。
【図７】図６の領域Ａ７を拡大した拡大図である。
【図８】筺体にカバーが取り付けられたときの、電子機器の概略断面図である。
【図９】図８の領域Ａ９を拡大した拡大図である。
【発明を実施するための形態】
【００１５】
以下、本発明の実施形態について図面を参照して説明する。
【００１６】
本発明の電子機器は、筺体内に収容され、交換可能に構成された電子モジュールを有する電子機器全般に適用可能である。
【００１７】
図１は、本発明の一実施形態における電子機器の概略斜視図である。図２は筺体に設けられたカバーが外された状態の電子機器の概略斜視図である。電子機器は、筺体１１と、筺体１１内に収容され、交換可能に構成された電子モジュール９と、を有している。
【００１８】
筺体１１には開口１１ｂが形成されており、開口１１ｂを塞ぐカバー３が筺体１１に着脱可能に構成されている。筺体１１内に収容された電子モジュール９は、この開口１１ｂを通して、筺体１１から取り出されたり筺体１１に挿入されたりする。
【００１９】
本実施形態では、筺体１１は、開口１１ｂが形成されたトップ部分１と、ボトム部分２と、から成る。しかし、筺体１１は、電子モジュール９を収容することができ、電子モジュール９を交換するための開口１１ｂが形成されていれば、どのように構成されていてもよい。
【００２０】
カバー３はネジ穴３ａを有しており、筺体１１は、カバーのネジ穴３ａに対応したネジ穴１１ａを有していることが好ましい。カバーのネジ穴３ａと筺体のネジ穴１１ａとが位置合わせされた状態で、筺体１１とカバー３とは接合部材としてのネジ８によって固定される。接合部材は、筺体１１とカバー３とが接合することができれば、ネジ８に限られない。
【００２１】
図３および図４は、筺体１１に電子モジュール９を挿入する際の様子を示している。ただし、図３では、見易さのために筺体１１は示されていない。
【００２２】
電子機器は、外部からの電力を電子モジュール９に伝達するためのリード１２ａ，１２ｂを有している。電子モジュール９を交換可能にするため、電子モジュール９に設けられたリード１２ａと、筺体１１内に設けられたリード１２ｂとは、電気コネクタ４，５によって接続される。
【００２３】
筺体１１内に挿入された電子モジュール９は、電気コネクタ４，５が外れることを防ぐため、接合部材としてのネジ７によって、筺体１１または筺体内に設けられた部品に固定されることが好ましい。
【００２４】
電子モジュール９に固定された第１の電気コネクタ４は、筺体１１に設けられた第２の電気コネクタ５に嵌合可能に構成されている。具体的には、第１の電気コネクタ４と第２の電気コネクタ５とが嵌合する方向は、電子モジュール９を筺体１１に入れる方向Ｔ１と概ね同一になっている。
【００２５】
図５は、筺体１１に形成された開口１１ｂを塞ぐカバー３の概略斜視図である。カバーの裏面３ｂには、押圧手段としての板バネ６が設けられている。ここで、カバーの裏面３ｂとは、筺体１１に取り付けられたときに、筺体１１の内部に向けられる、カバーの一面のことをいう。
【００２６】
カバー３が筺体１１に取りつけられた状態において、板バネ６は、第１の電気コネクタ４と第２の電気コネクタ５とが嵌合する方向に、筺体１１内に収容された電子モジュール９を押圧する。これにより、電子モジュール９が筺体１１内に収容され、筺体１１にカバー３が取り付けられただけで、第１の電気コネクタ４と第２の電気コネクタ５との間の接続性が良好になる。
【００２７】
上記構成によれば、電子モジュール９のネジ締めや、カバー３と筺体１１との間のネジ締めが不十分であっても、板バネ６が第１の電気コネクタ４を押しつけるため、第１の電気コネクタ４と第２の電気コネクタ５との接続性が良好になる。
【００２８】
もしユーザが、カバー３と筺体１１との間のネジ締めを行わなかった場合には、板バネ６の作用により、カバー３が筺体１１から浮いた状態になる。これにより、ユーザは、ネジ締めしなかったことを容易に認識することができる。
【００２９】
本実施形態では、第１の電気コネクタ４と第２の電気コネクタ５とを嵌合する方向が、電子モジュール９を筺体１１に入れる方向Ｔ１と同一になっているため、筺体１１内の電子モジュール９を、カバー３に設けられた板バネ６で押すことにより、容易に電気コネクタ同士４，５の接続性を向上させることができる。
【００３０】
本実施形態では、押圧手段としての板バネ６は、カバー３に設けられていることが好ましいが、この押圧手段は電子モジュール９に設けられていてもよい。また、押圧手段は、板バネ６ではなく、様々なタイプの弾性体であってよい。
【００３１】
以下、筺体１１にカバー３を取り付ける際の動作の好ましい一例について、図６〜図９を参照して具体的に説明する。図６は、筺体１１にカバー３を取り付ける最中の、電子機器を示しており、図７は図６に示す領域７Ａを拡大した拡大図である。図８は、筺体１１へカバー３が取り付けられた際の、電子機器を示しており、図９は図８に示す領域９Ａを拡大した拡大図である。
【００３２】
本実施形態では、カバー３は、筺体１１に対してスライドして筺体１１に取り付けられる。また、押圧手段としてのバネ板６は、カバーの裏面３ｂから突出した突出部６ａを有する。この突出部６ａの、カバーのスライド方向Ｔ２の下流側の側面６ｂは、スライド方向Ｔ２に略垂直になっている。
【００３３】
電子モジュール９の、カバー側に向けられる一面には、突起部１０が形成されている。板バネ６の、カバーのスライド方向Ｔ２の下流側の側面６ｂは、カバー３が筺体１１に取り付けられたときに、電子モジュールの突起部１０に圧接する。板バネ６は、カバー３をスライド方向Ｔ２に押しつける際にカバー３から板バネ６に作用する力と、電子モジュール９の突起部１０から板バネ６に作用する反力とにより、両側から押さえ付けられる。そして、板バネの突出部６ａが、電子モジュールの嵌合方向Ｔ１に延びるように変形する。これにより、板バネ６の突出部６ａが電子モジュール９を押圧して、第１の電気コネクタ４と第２の電気コネクタ５との接続性が向上する。
【００３４】
カバー３が筺体１１に取り付けられたとき、カバー３が筺体１１に確実に固定されるように、カバー３はネジ８によって筺体１１に固定されることが好ましい。
【００３５】
図６〜図９では、好まし一例として、スライド式のカバー３について詳細に説明したが、カバー３は、スライド式に筺体１１に取り付けられるものに限定されない。
【００３６】
上述した電子機器の一例として、光源装置からの光を画像として投射する、プロジェクタのような投射型表示装置がある。電子機器が投射型表示装置である場合、交換可能な電子モジュールは、他の構成部品よりも比較的寿命が短い光源装置であることが好ましい。このような投射型表示装置は、光源からの光を画像に変換するための光変調素子（不図示）と、光変調素子によって画像に変換された光を投射するための投射レンズ（不図示）と、を有する。
【００３７】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００３８】
１      第１の筺体部分
２      第２の筺体部分
３      カバー
３ａ    ネジ穴
４      第１の電気コネクタ
５      第２の電気コネクタ
６      板バネ
７      ネジ
８      ネジ
９      電子モジュール
１０    突起部
１１    筺体
１１ａ  ネジ穴
１１ｂ  開口
１２ａ  電子モジュールに設けられたリード
１２ｂ  筺体内に設けられたリード
【図１】
0005424364.tif 000002
【図２】
0005424364.tif 000003
【図３】
0005424364.tif 000004
【図４】
0005424364.tif 000005
【図５】
0005424364.tif 000006
【図６】
0005424364.tif 000007
【図７】
0005424364.tif 000008
【図８】
0005424364.tif 000009
【図９】
0005424364.tif 000010